(57)【要約】【課題】被写体の輝度やコントラストによらず、合焦度合を示す表示を見ながらマニュアル操作により容易に被写体に合焦させる撮像装置を提供する。【解決手段】撮像手段の出力信号から画像のコントラストに対応する焦点信号を抽出する抽出手段（＃３０５）と、焦点信号を正規化するための正規化データとして記憶する記憶手段（＃３０６）と、撮影状況が変化した際に抽出される焦点信号を正規化データとして更新して記憶手段に記憶させる更新手段（＃３０６）と、撮像画像を表示するとともに、被写体の合焦度合を表示する表示手段と、記憶手段に記憶されている正規化データを用いて焦点信号を正規化し、該正規化された値に基づいて合焦度合の表示信号を生成し、表示手段に前記合焦度合の表示を行う表示制御手段（＃３０７，＃３０８）とを有する。【選択図】図３
2008129371.tif 000002
【特許請求の範囲】
【請求項１】
撮像手段の出力信号から画像のコントラストに対応する焦点信号を抽出する抽出手段と、
前記焦点信号を正規化するための正規化データとして記憶する記憶手段と、
撮影状況が変化した際に抽出される焦点信号を正規化データとして更新して前記記憶手段に記憶させる更新手段と、
撮像画像を表示するとともに、被写体の合焦度合を表示する表示手段と、
前記記憶手段に記憶されている前記正規化データを用いて前記焦点信号を正規化し、該正規化された値に基づいて前記合焦度合の表示信号を生成し、前記表示手段に前記合焦度合の表示を行う表示制御手段とを有することを特徴とする撮像装置。
【請求項２】
前記更新手段は、フォーカスモードがマニュアルフォーカスモードに移行された際に、前記正規化データを更新することを特徴とする請求項１に記載の撮像装置。
【請求項３】
前記更新手段は、被写体の輝度の変化が規定量より大きいと判定したときに、前記正規化データを更新することを特徴とする請求項１に記載の撮像装置。
【請求項４】
前記更新手段は、ズームレンズによって焦点距離が変更されたときに、前記正規化データを更新することを特徴とする請求項１に記載の撮像装置。
【請求項５】
前記更新手段は、撮像画像の拡大倍率が変更されたときに、前記正規化データを更新することを特徴とする請求項１に記載の撮像装置。
【請求項６】
前記更新手段は、前回の正規化データの記憶から規定時間経過したときに、前記正規化データを更新することを特徴とする請求項１に記載の撮像装置。
【請求項７】
前記更新手段は、絞り手段の絞り値の変化が規定値より大きいと判定したときに、前記正規化データを更新することを特徴とする請求項１に記載の撮像装置。
【請求項８】
前記更新手段は、当該撮像装置の姿勢が変化したと判定したときに、前記正規化データを更新することを特徴とする請求項１に記載の撮像装置。
【請求項９】
前記更新手段は、被写体と前記撮像手段との相対的なぶれ量が規定量より大きいと判定したときに、前記正規化データを更新することを特徴とする請求項１に記載の撮像装置。
【請求項１０】
撮像装置に加わる振れによる画像振れを補正するぶれ補正手段を有し、
前記更新手段は、当該撮像装置に装着されるコンバージョンレンズの光学特性に合わせて、前記ぶれ補正手段での補正特性が変更されたときに、前記正規化データを更新することを特徴とする請求項１に記載の撮像装置。
【発明の詳細な説明】
【技術分野】
【０００１】
本発明は、合焦度合いを表示する表示手段を有する撮像装置に関するものである。
【背景技術】
【０００２】
従来から電子スチルカメラやビデオカメラなどにおいて、撮影者自らの操作によりフォーカスレンズを動かすことによって被写体に合焦させることが可能な、マニュアルフォーカス機能が使われている。この際、撮影者は電子ビューファインダ上に映し出される画像のボケ具合を見ながら、最も合焦していると思われる位置にフォーカスレンズを動かす。
【０００３】
しかし、電子ビューファインダは画面が小さく、解像度も低いため、これに映し出される画像を見ながら撮影者が正確にピント合せをすることは困難であった。
【０００４】
そこで、電子ビューファインダに合焦度合を表示する方式が特許文献１により提案されている。特許文献１によれば、撮像素子の出力に所定の信号処理を施すことにより合焦度合データである焦点評価値（焦点信号）を生成し、電子ビューファインダ上にバー表示（棒グラフ）などを用いて合焦度合を表示するように構成されている。
【０００５】
上記焦点評価値は、Ｓ／Ｎを向上させるためにバンドパスフィルタの出力を積分することが多い。このようにすると、異なる被写体では、同じようにジャストピント状態であっても焦点評価値のレベルは大きく変わる。これは被写体のコントラストに依存して焦点評価値が大きく変わるためである。また、同じコントラストの被写体であっても、被写体の輝度が異なると、焦点評価値のレベルは大きく変わる。
【０００６】
同様にピントが外れた状態であっても、被写体のコントラストや輝度によって焦点評価値のレベルは変わってしまう。
【０００７】
さらに、コントラストが高く、輝度も高い被写体の場合は、ピントが合っている状態と合っていない状態とでは焦点評価値が大きく変化する。これに対し、コントラストが低く、輝度も低い被写体では、ピントが合っている状態と合っていない状態とでは焦点評価値の変化量は少ない。
【特許文献１】特開２００２−３４１２３６号公報
【発明の開示】
【発明が解決しようとする課題】
【０００８】
上記のように被写体の条件によって大きくレベルの変わる焦点評価値を、電子ビューファインダに一つのバーで表示しようとすると、低コントラストかつ低輝度の被写体では、合焦度合に対する焦点評価値の変化量は小さい。そのため、電子ビューファインダ上のバーの変化が小さくなり、どの位置がジャストピントなのか判らず、ピント合せが困難になる。
【０００９】
以下、これを図８および図９を用いて説明する。図８は低コントラストかつ低輝度の被写体に合焦したときのバー表示を示し、図９は同じ被写体に対してピントが外れたときのバー表示を示している。
【００１０】
これらの図において、ピントが合うほどバーの下側の黒色部分が上方に伸びていくが、図８と図９それぞれのバー表示の比較から明らかなように、低コントラストかつ低輝度の被写体では合焦度合に対してバーの変化は非常に小さい。よって、このバー表示からは合焦と非合焦の区別がつきにくく、ピント合せを行うことは非常に困難になる。
【００１１】
そこで、低コントラストかつ低輝度の被写体に対応して、焦点評価値の変化が小さい場合でも、バーの変化量が大きくなるように表示することが考えられる。しかし、被写体が高コントラストかつ高輝度であった場合、焦点評価値の変化量は大きいので、電子ビューファインダ上のバーの変化量が非常に大きくなり、電子ビューファインダでの表示範囲の限界を超え、表示しきれなくなってしまう。
【００１２】
これを図１０および図１１を用いて説明する。図１０は高コントラストかつ高輝度の被写体に合焦したときのバー表示を示し、図１１は同じ被写体に対してピントが外れたときのバー表示を示している。
【００１３】
図１０と図１１では、説明のためにバーが画面からはみ出しているが、実際にははみ出して表示はできないので、最もバーが伸びた状態が分からなくなってしまう。従って、フォーカスレンズがどの位置で合焦になるのか判らなくなってしまい、ピント合せが非常に困難になる。
【００１４】
（発明の目的）
本発明の目的は、被写体の輝度やコントラストによらず、合焦度合を示す表示を見ながらマニュアル操作により容易に被写体に合焦させることができる撮像装置を提供しようとするものである。
【課題を解決するための手段】
【００１５】
上記目的を達成するために、本発明は、撮像手段の出力信号から画像のコントラストに対応する焦点信号を抽出する抽出手段と、前記焦点信号を正規化するための正規化データとして記憶する記憶手段と、撮影状況が変化した際に抽出される焦点信号を正規化データとして更新して前記記憶手段に記憶させる更新手段と、撮像画像を表示するとともに、被写体の合焦度合を表示する表示手段と、前記記憶手段に記憶されている前記正規化データを用いて前記焦点信号を正規化し、該正規化された値に基づいて前記合焦度合の表示信号を生成し、前記表示手段に前記合焦度合の表示を行う表示制御手段とを有する撮像装置とするものである。
【発明の効果】
【００１６】
本発明によれば、被写体の輝度やコントラストによらず、合焦度合を示す表示を見ながらマニュアル操作により容易に被写体に合焦させることができる撮像装置を提供できるものである。
【発明を実施するための最良の形態】
【００１７】
本発明を実施するための最良の形態は、以下の実施例に示す通りである。
【実施例】
【００１８】
図１は本発明の一実施例に係わる撮像装置の回路構成を示すブロック図である。図１において、１０１は後述する撮像素子上に焦点を合わせるためのフォーカスレンズ、１０２はフォーカスレンズ１０１の初期位置を検出するフォトインタラプタである。１０３はフォーカスレンズ１０１を駆動するモータ、１０４はフォーカスレンズ駆動モータ１０３に駆動信号を入力してフォーカスレンズ１０１を動かすフォーカスレンズ駆動回路である。１０５は絞り、シャッタなどの光量調節部材、１０６は光量調節部材１０５を駆動する光量調節部材駆動モータ、１０７は光量調節部材駆動モータ１０６に駆動信号を入力して光量調節部材１０５を動かす光量調節部材駆動回路である。
【００１９】
１０８は撮影レンズの焦点距離を変更するズームレンズ、１０９はズームレンズ１０８の初期位置を検出するフォトインタラプタである。１１０はズームレンズ１０８を駆動するモータ、１１１はズームレンズ駆動モータ１１０に駆動信号を入力してズームレンズ１０８を動かすズームレンズ駆動回路である。１１２は被写体からの反射光を電気信号に変換する撮像素子、１１３は撮像素子１１２から出力されるアナログ信号をデジタル信号に変換するＡ／Ｄ変換器である。１１４は撮像素子１１２やＡ／Ｄ変換器１１３を動作させるために必要なタイミング信号を発生するタイミング信号発生回路（以下、ＴＧ）である。
【００２０】
１１５はＡ／Ｄ変換器１１３から入力された画像データに所定の処理を施す画像処理プロセッサ、１１６は画像処理プロセッサ１１５で処理された画像データを一時的に記憶するバッファメモリである。１１７は後述する記録媒体との接続のためのインターフェース、１１８はメモリカードやハードディスクなどの記録媒体である。１１９は撮影シーケンスなどシステムを制御するためのマイクロコントローラ（以下、ＣＰＵ）である。
【００２１】
１２０はズーム動作の開始および停止を指示する信号をＣＰＵ１１９に入力するズームＳＷ（スイッチ）である。１２１はＡＦ（オートフォーカス）やＡＥ（オートエキスポージャー）等の撮影準備を指示するためのスイッチ（以下ＳＷ１）、１２２はスイッチＳＷ１の操作後、本露光及び記録動作等の撮影処理を指示するための撮影処理指示スイッチ（以下、ＳＷ２）である。１２３はシステムに電源を投入するためのメインスイッチ、１２４はカメラの動作モードを設定するモードスイッチである。
【００２２】
１２５はＣＰＵ１１９で実行されるプログラムが記憶されているプログラムメモリ、１２６はＣＰＵ１１９がプログラムメモリ１２５に記憶されているプログラムに従って処理を行う際に必要な各種データを書き込み及び読み出しするワークメモリである。１２７はカメラの動作状態や各種警告表示を行う操作表示部、１２８は画像を表示する電子ビューファインダ（以下、ＥＶＦ）、１２９は各種設定を行う設定スイッチである。１３０は操作表示部１２７やＥＶＦ１２８に表示されたメニュー項目の選択やフォーカスレンズ１０１の駆動指示等に使用する十字スイッチである。１３１はオートフォーカスとマニュアルフォーカスの切り換えを行うフォーカスモードスイッチ、１３２はカメラの向きが縦撮影位置か横撮影位置かを検出する縦横位置検出センサである。１３３はぶれ補正装置であり、撮影者の手ぶれを検出し、該手ぶれよる像ぶれを補正するものである。
【００２３】
次に、上記構成の撮像装置の基本動作について、図２のフローチャートを用いて説明する。
【００２４】
まず、ステップＳ２０１では、撮影準備を指示するスイッチＳＷ１の状態を判定し、ＯＮならばステップＳ２０６へ進み、そうでなければステップＳ２０２へ進む。
【００２５】
スイッチＳＷ１がＯＮでないとしてステップＳ２０２へ進むと、光量調節部材１０５に含まれる絞りやシャッタスピードを制御して、ＥＶＦ１２８に表示される画像の明るさが適正になるようにＡＥ動作を行う。次のステップＳ２０３では、光源の色温度によらず、ＥＶＦ１２８に表示される画像が適切な色バランスになるようにオートホワイトバランス（ＡＷＢ）動作を行う。続くステップＳ２０４では、撮像素子１１２から読み出した画像信号に所定の処理を施してＥＶＦ１２８へ表示する。そして、次のステップＳ２０５にて、図３にて後述するマニュアルフォーカス（以下、ＭＦ）処理を行う。
【００２６】
スイッチＳＷ１がＯＮであるとしてステップＳ２０６へ進むと、ここでは図７にて後述する撮影処理を行う。
【００２７】
次に、図２のステップＳ２０５にて実行されるＭＦ処理について、図３のフローチャートを用いて説明する。
【００２８】
まず、ステップＳ３０１では、フォーカスモードスイッチ１３１の状態を判定し、ＭＦに設定されていたらステップＳ３０２へ進み、そうでなければ本処理を終了する。
【００２９】
ＭＦに設定されているとしてステップＳ３０１からステップＳ３０２へ進むと、焦点評価値（焦点信号）の正規化に用いるデータをクリアする。この焦点評価値正規化用データは、後述する焦点評価値正規化データ記憶判定処理においてワークメモリ１２６に記憶されるものとする。次のステップＳ３０３では、焦点評価値取得エリアを設定する。この焦点評価値取得エリアは、撮影画面の中央に設定するものとする。続くステップＳ３０４では、画像処理プロセッサ１１５において焦点評価値を生成する際に、輝度信号から一定の周波数帯域の成分を抜き出すためのバンドパスフィルタ（以下、ＢＰＦ）のカットオフ周波数を設定する。
【００３０】
次のステップＳ３０５では、撮像素子１１２から読み出されたアナログ映像信号をＡ／Ｄ変換器１１３を使ってデジタル信号に変換する。さらに、画像処理プロセッサ１１５において、前記デジタル信号のうちの輝度信号を上記ステップＳ３０４で設定したＢＰＦに通して一定の周波数帯域を抽出する。さらに、上記ステップＳ３０３で設定された焦点評価値取得エリア内で積分して、これを焦点評価値としてワークメモリ１２６に記憶する。次のステップＳ３０６では、図５にて後述する手順に従って焦点評価値の正規化データ記憶判定処理を行う。続くステップＳ３０７では、上記ステップＳ３０５で取得した焦点評価値を正規化する。この時の正規化の方法は
正規化焦点評価値＝今回取得した焦点評価値／ステップＳ３０６で記憶された正規化用                    データ
なる式を用いて計算する。
【００３１】
次のステップＳ３０８では、上記ステップＳ３０７で正規化した焦点評価値を基に合焦度合を示す表示信号を生成し、ＥＶＦ１２８に合焦度合を表示する。
【００３２】
このときの表示は、図４のように、ＥＶＦ１２８上にバー表示をするものとする。ここで、ピント状態が合焦に近づき、上記ステップＳ３０５で取得した焦点評価値が大きくなれば、図４のバーの下側の黒色部分が上方に伸びていく。逆に合焦から遠ざかり、上記ステップＳ３０５で取得した焦点評価値が小さくなれば、図４のバーの下側の黒色部分が下方に下がっていく。なお、図４の中央の点線の四角は、上記ステップＳ３０３で設定した焦点評価値取得エリアを示している。
【００３３】
次のステップＳ３０９では、図６にて後述する手順に従ってフォーカスレンズ１０１の駆動判定処理を行う。続くステップＳ３１０では、フォーカスモードスイッチ１３１の状態を判定し、ＭＦに設定されていたらステップＳ３０５に戻る。ＭＦに設定されていなければステップＳ３１１へ進み、ＡＦモードに移行し、本処理を抜ける。
【００３４】
次に、図３のステップＳ３０６にて実行される焦点評価値正規化データ記憶判定処理について、図５のフローチャートを用いて説明する。
【００３５】
まず、ステップＳ５０１では、現在、焦点評価値正規化用データを記憶しているか判定し、記憶していればステップＳ５０２へ進み、記憶していなければ後述のステップＳ５１０へ進む。
【００３６】
焦点評価値正規化用データを記憶しているとしてステップＳ５０２へ進むと、被写体の輝度変化が規定値よりも大きいか否かを判定し、規定値より大きければ後述のステップＳ５１０へ進む。被写体の輝度変化が規定値より大きくなければステップＳ５０３へ進み、ズームレンズ１０８の位置が変更されたか否かを判定し、変更されていれば後述のステップＳ５１０へ進む。ズームレンズ１０８の位置が変更されていなければステップＳ５０４へ進み、電子ズームにおける拡大倍率が変更されたか否かを判定し、拡大倍率が変更されていれば後述のステップＳ５１０へ進む。拡大倍率が変更されていなければステップＳ５０５へ進み、前回焦点評価値を記憶してから規定時間が経過したか否かを判定し、経過していれば後述のステップＳ５１０へ進み、経過していなければステップＳ５０６へ進む。
【００３７】
前回焦点評価値を記憶してから規定時間が経過していないとしてステップＳ５０６へ進むと、絞りの変化量が規定値よりも大きいか否かを判定し、大きければ後述のステップＳ５１０へ進む。絞りの変化量が規定値よりも大きくなければステップＳ５０７へ進み、カメラの縦横位置検出センサ１３２の出力を判定し、位置が変化していれば後述のステップＳ５１０へ進む。カメラの縦横位置が変化していなければステップＳ５０８へ進み、ぶれ補正装置１３３を用いてカメラのぶれ量が規定値よりも大きいか否かを判定し、大きければ後述のステップＳ５１０へ進む。カメラのぶれ量が規定値よりも大きくなければステップＳ５０９へ進む。そして、ここではテレコンバータやワイドコンバータなどのコンバージョンレンズを装着した際に、その光学特性に合わせてぶれ補正装置１３３の補正特性を切り換える場合に、コンバージョンレンズの設定が切り換えられたか否かを判定する。その結果、切り換えられていれば後述のステップＳ５１０へ進み、切り換えられていなければ本処理を終了する。
【００３８】
コンバージョンレンズの設定が切り換えられているとしてステップＳ５１０へ進むと、図３のステップＳ３０５において取得した焦点評価値を、正規化用データとしてワークメモリ１２６に記憶する。そして、次のステップＳ５１１にて、上記ステップＳ５０２からステップＳ５０９までの処理において使用するデータを、現在の設定や状態に基づいてワークメモリ１２６に記憶する。そして、本処理を終了する。
【００３９】
図３および図５のフローチャートにて説明したように構成すると、以下のようにして焦点評価値正規化データが記憶／更新される。
【００４０】
図３のステップＳ３０１にてフォーカスモードスイッチ１３１がＭＦであると判定すると、次のステップＳ３０２にて、焦点評価値正規化用データをクリアする。その後、図５のステップＳ５０１にて、焦点評価値正規化用データを記憶しているかどうか判定する。ここでは図３のステップＳ３０２にて焦点評価値正規化用データはクリアされているのでステップＳ５１０へ進み、今回の焦点評価値を正規化用データとして記憶する。
【００４１】
その後は図３のステップＳ３０９まで処理を行い、次のステップＳ３１０にて、フォーカスモードスイッチ１３１がＭＦであると判定すると、再び図５のステップＳ５０１にて、焦点評価値正規化用データを記憶しているかどうかを判定する。今度はステップＳ５１０で正規化用データを記憶しているのでステップＳ５０２へ進む。その後は図５のフローチャートに従って、現在の設定や状態とステップＳ５１１で記憶した設定や条件を比較し、変化があれば再度ステップＳ５１０にて今回の焦点評価値を正規化用データとして記憶する。
【００４２】
このようにして、撮像装置の設定や被写体の条件などの撮影状況の変化を繰り返し判定し、変化があればその都度焦点評価値正規化用データを更新する。
【００４３】
なお、別途焦点評価値正規化データ記憶スイッチを設け、このスイッチの押下に応じて焦点評価値正規化データの記憶を行うようにしても良い。こうする事で、撮影者が所望のタイミングで随時焦点評価値正規化用データを更新できる。
【００４４】
また、フォーカスレンズ１０１の駆動を停止した時に焦点評価値正規化データの記憶を行うようにしても良い。こうする事で、撮影者が記憶のための操作をすることなく焦点評価値正規化用データを更新できる。さらに、フォーカスレンズ１０１を、モータを用いずにフォーカス環を回すことによって手動で動かす場合に、フォーカス環の動きを検出して、フォーカス環が停止した時に焦点評価値正規化データの記憶を行うようにしても良い。この場合も撮影者が記憶のための操作をすることなく焦点評価値正規化用データを更新できる。
【００４５】
上記のように焦点評価値を正規化する理由を以下に述べる。焦点評価値はピントが合っている状態では大きくなり、合っていない状態では小さくなる。しかし、コントラストの低い被写体と高い被写体とでは、合焦度合に対する焦点評価値の変化量は大きく異なる。同様に、輝度が低い被写体と高い被写体とでも、合焦度合に対する焦点評価値の変化量は大きく異なる。
【００４６】
したがって、これをそのままＥＶＦ１２８上にバー表示すると、低コントラスト／低輝度の被写体では、図８と図９を使って説明したように、合焦度合に対して焦点評価値の変化量は非常に小さくなる。逆に高コントラスト／高輝度の被写体では、図１０と図１１を使って説明したように、合焦度合に対して焦点評価値の変化量は非常に大きくなる。しかし撮影者にとっては、被写体のコントラストや輝度によらず、合焦度合に応じて、ＥＶＦ１２８上のバーが同じように変化した方がピント合せは容易である。
【００４７】
そこで、本実施例では、焦点評価値を正規化することによって、被写体のコントラストや輝度の高低が相殺され、ほぼ合焦度合だけがバー表示に反映されるようにしている。具体的には、図３のステップＳ３０７で説明したように、取得した焦点評価値を記憶しておき、次に取得された焦点評価値を、記憶した焦点評価値で割ることによって正規化する。さらに、カメラの状態や被写体のシーン変化に応じて、焦点評価値を記憶し直すことによって、そのシーンにあった焦点評価値で正規化するようにしている。
【００４８】
このように焦点評価値を正規化することによって、被写体のコントラストや輝度によらず、合焦度合に応じてＥＶＦ１２８上のバーが同じように変化する。よって、撮影者はＥＶＦ１２８上のバー表示を確認しながら容易にピント合せをすることが可能となる。
【００４９】
次に、図３のステップＳ３０９にて実行されるフォーカスレンズ１０１の駆動判定処理について、図６のフローチャートを用いて説明する。
【００５０】
まず、ステップＳ６０１では、十字スイッチ１３０の右キーがＯＮであるか判定し、ＯＮであればＳ６０２へ進み、フォーカスレンズ１０１を無限方向へ駆動する。また、十字スイッチ１３０の右キーがＯＮでなければステップＳ６０３へ進み、ここでは十字スイッチ１３０の左キーがＯＮであるか判定し、ＯＮであればＳ６０４へ進み、フォーカスレンズ１０１を至近方向へ駆動する。また、十字スイッチ１３０の左キーもＯＮでなければステップＳ６０５へ進み、ここではフォーカスレンズ１０１の駆動を停止する。
【００５１】
次に、図２のステップＳ２０６にて実行される撮影処理について、図７のフローチャートを用いて説明する。
【００５２】
まず、ステップＳ７０１では、本露光用ＡＥ動作を行う。次のステップＳ７０２では、本露光用ＡＦ動作を行う。続くステップＳ７０３では、本露光及び記録を行う。
【００５３】
上記実施例によれば、撮像素子１１２の出力信号から被写体の輝度の特定の周波数帯域、すなわち画像のコントラストに対応する焦点信号、つまり焦点評価値を抽出すると共に、正規化するための正規化データとして記憶する。この正規化データは撮像装置の設定や被写体の条件などの変化を繰り返し判定し、変化があればその都度更新する。そして、このように更新し、記憶した正規化データを用いて、新たに抽出される焦点評価値を正規化する。そして、この正規化された値に基づいてＥＶＦ１２８に被写体像の合焦度合を、例えば図４に示すようにバー表示するようにしている。
【００５４】
上記の正規化データの更新を行う場合について詳しく説明すると、以下の場合である。
【００５５】
マニュアルフォーカスモードに移行したときに更新したり、被写体の輝度の変化が所定量より大きいと判定したときに更新したり、ズームレンズによって焦点距離が変更されたときに更新したりする。さらには、撮像画像の拡大倍率が変更されたときに更新したり、前回の正規化データの記憶から所定時間経過したときに更新したり、被写体からの入射光の変化に応じて絞り値が変化したときに更新したりしている。さらには、撮像装置の姿勢が変化したと判定したときに更新したり、被写体と撮像素子１１２との相対的なぶれ量が所定値より大きいと判定したときに更新したりしている。さらには、撮像装置に装着されるコンバージョンレンズの光学特性に合わせて、ぶれ補正装置１３３での補正特性が変更されたときに更新したりするようにしている。
【００５６】
よって、合焦度合を示すバー表示しながらマニュアルフォーカスによってピント合せをする際に、あらゆるコントラストや輝度の被写体に対しても容易に合焦させることができる。
【００５７】
また、ピントが外れた状態から合焦した状態に至るまでの焦点評価値の変化も、被写体によらず、良好に確認することができる。
【図面の簡単な説明】
【００５８】
【図１】本発明の一実施例に係わる撮像装置の回路構成を示すブロック図である。
【図２】本発明の一実施例に係わる撮像装置の基本的な動作を示すフローチャートである。
【図３】図２におけるＭＦ処理を示すフローチャートである。
【図４】本発明の一実施に係わる焦点評価値のバー表示の一例を示す図である。
【図５】図３における焦点評価値正規化データ記憶判定処理を示すフローチャートである。
【図６】図３におけるフォーカスレンズ駆動判定処理を示すフローチャートである。
【図７】図２における撮影処理を示すフローチャートである。
【図８】従来の撮像装置において低コントラスト／低輝度被写体の合焦時の焦点評価値をバー表示にて示す図である。
【図９】従来の撮像装置において低コントラスト／低輝度被写体の非合焦時の焦点評価値をバー表示にて示す図である。
【図１０】従来の撮像装置において高コントラスト／高輝度被写体の合焦時の焦点評価値をバー表示にて示す図である。
【図１１】従来の撮像装置において高コントラスト／高輝度被写体の非合焦時の焦点評価値をバー表示にて示す図である。
【符号の説明】
【００５９】
１０１    フォーカスレンズ
１０５    光量調節部材
１０８    ズームレンズ
１１２    撮像素子
１１５    画像処理プロセッサ
１１６    バッファメモリ
１１８    記録媒体
１１９    ＣＰＵ
１２８    電子ビューファインダ（ＥＶＦ）
１３０    十字スイッチ
１３１    フォーカスモードスイッチ
１３２    縦横位置検出センサ
１３３    ぶれ補正装置
【図１】
2008129371.tif 000003
【図２】
2008129371.tif 000004
【図３】
2008129371.tif 000005
【図４】
2008129371.tif 000006
【図５】
2008129371.tif 000007
【図６】
2008129371.tif 000008
【図７】
2008129371.tif 000009
【図８】
2008129371.tif 000010
【図９】
2008129371.tif 000011
【図１０】
2008129371.tif 000012
【図１１】
2008129371.tif 000013